【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
感知面を備えるセンサであって、前記センサが、
第１の入射角の範囲にわたって前記感知面と相互作用するように第１の光信号を導き、
第２の入射角の範囲にわたって前記感知面と相互作用するように第２の光信号を導くように構成され、
前記第１の入射角の範囲は前記第２の入射角の範囲と異なる、センサ。
【請求項２】
前記センサが複数のファセットを備える、請求項１に記載のセンサ。
【請求項３】
１つ以上の前記ファセットが反射被覆を有する、請求項２に記載のセンサ。
【請求項４】
前記センサが、内部表面上の複数のファセットと、外部表面上の複数のファセットとを備える、請求項２に記載のセンサ。
【請求項５】
前記センサが、前記内部表面上の２つのファセットと、前記外部表面上の４つのファセットとを備える、請求項４に記載のセンサ。
【請求項６】
前記感知面が、被覆領域と非被覆領域とを備える、請求項１に記載のセンサ。
【請求項７】
前記被覆領域が、貴金属を備える半透明膜を備える、請求項６に記載のセンサ。
【請求項８】
前記貴金属が、金、銀、アルミニウム、白金、またはパラジウムである、請求項７に記載のセンサ。
【請求項９】
前記半透明膜が、０．５ｎｍ〜２００ｎｍの範囲の厚さを有する、請求項７に記載のセンサ。
【請求項１０】
前記被覆領域が、前記センサと半透明膜との間に配置された接着層を備える、請求項６に記載のセンサ。
【請求項１１】
前記接着層が、クロム、二酸化チタン、一酸化チタン、二酸化ケイ素、および一酸化ケイ素から選択された材料を備える、請求項１０に記載のセンサ。
【請求項１２】
前記センサがシクロオレフィンポリマを含む、請求項１に記載のセンサ。
【請求項１３】
前記第１の入射角の範囲が４０度から４５度に及ぶ、請求項１に記載のセンサ。
【請求項１４】
前記センサが、第１の入射角４２度で前記感知面と相互作用するべく、前記第１の光信号を導くように構成されている、請求項１３に記載のセンサ。
【請求項１５】
前記第２の入射角の範囲が６２度から６７度に及ぶ、請求項１に記載のセンサ。
【請求項１６】
前記センサが、第２の入射角６４度で前記感知面と相互作用するべく、前記第２の光信号を導くように構成されている、請求項１５に記載のセンサ。
【請求項１７】
前記センサが滅菌に適合された、請求項１に記載のセンサ。
【請求項１８】
センサと光学シャーシとを備えるシステムであって、
（ｉ）前記センサは、被覆領域を備える感知面を備え、４０度から４５度に及ぶ第１の入射角の範囲にわたって前記感知面と相互作用するように第１の光信号を導くとともに、６２度から６７度に及ぶ第２の入射角の範囲にわたって前記感知面と相互作用するように第２の光信号を導くように構成されるものであり、
（ｉｉ）前記光学シャーシは、
光信号生成構成要素と、
検出構成要素と、
プロセッサと、
コントローラと、
コンピュータ可読媒体と、を備える光学シャーシを備え、
前記コンピュータ可読媒体は、前記プロセッサによって実行されたとき、前記コントローラに、次のことを実行させる命令を備える、すなわち、
第１の表面プラズモン共鳴（ＳＰＲ）信号を生成するために前記第１の入射角の範囲にわたって前記感知面と相互作用するように第１の波長を有する光信号を導かせ、
前記検出構成要素を使用して前記第１のＳＰＲ信号の画像を生成させ、
前記生成された画像上の前記第１のＳＰＲ信号の最小値のピクセル位置を決定させ、
第２の表面プラズモン共鳴（ＳＰＲ）信号を生成するために前記第１の入射角の範囲にわたって前記感知面と相互作用するように第２の波長を有する光信号を導かせ、
前記検出構成要素を使用して前記第２のＳＰＲ信号の画像を生成させ、
前記生成された画像上の前記第２のＳＰＲ信号の最小値のピクセル位置を決定させ、
第１のＳＰＲデルタピクセル値を決定するために前記第１および第２のＳＰＲ信号の前記最小値の前記ピクセル位置を比較させ、
第３のＳＰＲ信号を生成するために前記第２の入射角で前記感知面と相互作用するように第１の波長を有する光信号を導かせ、
前記検出構成要素を使用して前記第３のＳＰＲ信号の画像を生成させ、
前記生成された画像上の前記第３のＳＰＲ信号の最小値のピクセル位置を決定させ、
第４のＳＰＲ信号を生成するために前記第２の入射角で前記感知面と相互作用するように第２の波長を有する光信号を導かせ、
前記検出構成要素を使用して前記第４のＳＰＲ信号の画像を生成させ、
前記生成された画像上の前記第４のＳＰＲ信号の最小値のピクセル位置を決定させ、
第２のＳＰＲデルタピクセル値を決定するために前記第３および第４のＳＰＲ信号の前記最小値の前記ピクセル位置を比較させ、そして
前記第１のＳＰＲデルタピクセル値と前記第２のＳＰＲデルタピクセル値とを比較させる
命令を備えるものである、システム。
【請求項１９】
サンプルの浸透圧を決定するための方法であって、前記方法が、
システムの感知面を基準媒体と接触させることと、ここで、前記システムは、
（ｉ）被覆領域を備える感知面を備えるセンサであって、４０度から４５度に及ぶ第１の入射角にわたって前記感知面と相互作用するべく第１の光信号を導くとともに、６２度から６７度に及ぶ第２の入射角にわたって前記感知面と相互作用するべく第２の光信号を導くように構成される、センサと、
（ｉｉ）光信号生成構成要素と検出構成要素とを備える光学シャーシと
を備えるものであり、
第１の基準表面プラズモン共鳴（ＳＰＲ）信号を生成するために前記第１の入射角で前記感知面と相互作用するように第１の波長を有する光信号を導くことと、
前記検出構成要素を用いて第１の基準ＳＰＲ信号の画像を生成することと、
前記生成された画像上の前記第１の基準ＳＰＲ信号の最小値のピクセル位置を決定することと、
第２の基準ＳＰＲ信号を生成するために前記第１の入射角で前記感知面と相互作用するように第２の波長を有する光信号を導くことと、
前記検出構成要素を用いて前記第２の基準ＳＰＲ信号の画像を生成することと、
前記生成された画像上の前記第２の基準ＳＰＲ信号の最小値のピクセル位置を決定することと、
基準媒体ＳＰＲデルタピクセル値を決定するために前記第１および第２の基準ＳＰＲ信号の前記最小値の前記ピクセル位置を比較することと、
前記感知面を前記サンプルと接触させることと、
第１のテストＳＰＲ信号を生成するために前記第２の入射角で前記感知面と相互作用するように第１の波長を有する光信号を導くことと、
前記検出構成要素を用いて前記第１のテストＳＰＲ信号の画像を生成することと、
前記生成された画像上の前記第１のテストＳＰＲ信号の最小値のピクセル位置を決定することと、
第２のテストＳＰＲ信号を生成するために前記第２の入射角で前記感知面と相互作用するように第２の波長を有する光信号を導くことと、
前記生成された画像上の前記第２のテストＳＰＲ信号の最小値のピクセル位置を決定することと、
テスト媒体ＳＰＲデルタピクセル値を決定するために前記第１および第２のテストＳＰＲ信号の前記最小値の前記ピクセル位置を比較することと、
第１の補正デルタピクセル値を生成するために前記基準媒体ＳＰＲデルタピクセル値を前記テスト媒体ＳＰＲデルタピクセル値と比較することと、
前記サンプルの前記浸透圧を決定するために前記第１の補正デルタピクセル値を較正データセットと比較することと
を備える方法。
【請求項２０】
前記基準媒体が空気であり、サンプルが涙液である、請求項１９に記載の方法。
【手続補正２】
【補正対象書類名】明細書
【補正対象項目名】０２２１
【補正方法】変更
【補正の内容】
【０２２１】
[00287]したがって、前述は、単に本発明の原理を例示するだけである。当業者が、本明細書に明示的に説明または図示されていないが、本発明の原理を具体化し、その要旨および範囲内に含まれる様々な構成を考案できることは理解されよう。さらに、本明細書に列挙されているすべての例および条件付き言語は、主として、本発明の原理と、本発明者らによって本技術を進歩させるために寄与される概念とを理解する上で読者を助けることが意図されており、そのように具体的に列挙された例および条件に限定されるものではないと解釈されるべきである。さらに、本発明の原理および態様ならびにそれらの特定の例を列挙する本明細書におけるすべての記述は、その構造的均等物と機能的均等物の両方を包含することが意図されている。加えて、そのような均等物は、現在知られている均等物と、将来に開発される均等物、すなわち、構造にかかわらず同じ機能を実行する任意の開発された要素の両方を含む。本発明の範囲は、したがって、本明細書に示され説明された例示的な態様に限定されることを意図されない。むしろ、本発明の範囲および要旨は、添付の特許請求の範囲によって具体化される。
以下に、出願当初の特許請求の範囲に記載の事項を、そのまま、付記しておく。
［１］  感知面を備えるセンサであって、前記センサが、
第１の入射角で前記感知面と相互作用するように第１の光信号を導き、
第２の入射角で前記感知面と相互作用するように第２の光信号を導くように構成された、センサ。
［２］  前記センサが複数のファセットを備える、［１］に記載のセンサ。
［３］  前記センサが円錐台状の凹形状を有する、［１］に記載のセンサ。
［４］  前記センサが、内部表面上の複数のファセットと、外部表面上の複数のファセットとを備える、［３］に記載のセンサ。
［５］  前記センサが、前記内部表面上の２つのファセットと、前記外部表面上の４つのファセットとを備える、［４］に記載のセンサ。
［６］  前記感知面が前記センサの中央部に配置された、［１］に記載のセンサ。
［７］  前記感知面が、被覆領域と非被覆領域とを備える、［１］に記載のセンサ。
［８］  前記被覆領域が、貴金属を備える半透明膜を備える、［７］に記載のセンサ。
［９］  前記貴金属が、金、銀、アルミニウム、白金、またはパラジウムである、［８］に記載のセンサ。
［１０］  前記半透明膜が、約０．５ｎｍ〜約２００ｎｍの範囲の厚さを有する、［８］に記載のセンサ。
［１１］  前記半透明膜が、約４５ｎｍ〜約５０ｎｍの厚さを有する、［１０］に記載のセンサ。
［１２］  前記被覆領域が、前記センサと半透明膜との間に配置された接着層を備える、［７］に記載のセンサ。
［１３］  前記接着層が、約０．５ｎｍ〜約２００ｎｍの範囲の厚さを有する、［１２］に記載のセンサ。
［１４］  前記接着層が、約４５ｎｍ〜約５０ｎｍの範囲の厚さを有する、［１２］に記載のセンサ。
［１５］  前記接着層が、クロム、二酸化チタン、一酸化チタン、二酸化ケイ素、および一酸化ケイ素から選択された材料を備える、［１２］に記載のセンサ。
［１６］  前記接着層が、前記センサの屈折率とは異なる屈折率を有する、［１２］に記載のセンサ。
［１７］  前記第１の入射角が、約４０度〜約７０度の範囲である、［１］に記載のセンサ。
［１８］  前記第１の入射角が、約４０度〜約４５度の範囲である、［１７］に記載のセンサ。
［１９］  前記第１の入射角が約４２度である、［１８］に記載のセンサ。
［２０］  前記第２の入射角が、約４０度〜約７０度の範囲である、［１］に記載のセンサ。
［２１］  前記第２の入射角が、約６２度〜約６７度の範囲である、［２０］に記載のセンサ。
［２２］  前記第２の入射角が約６４度である、［２１］に記載のセンサ。
［２３］  前記センサが滅菌に適合された、［１］に記載のセンサ。
［２４］  光学シャーシをさらに備え、前記光学シャーシが、
光信号生成構成要素と、
検出構成要素と、
プロセッサと、
コントローラと、
コンピュータ可読媒体とを備え、前記コンピュータ可読媒体は、
前記プロセッサによって実行されたとき、前記コントローラに、
第１の臨界角信号を生成するために前記第１の入射角で前記感知面と相互作用するように第１の波長を有する光信号を導かせ、
前記検出構成要素を使用して前記第１の臨界角信号の画像を生成させ、
前記生成された画像上の前記第１の臨界角信号の最大値のピクセル位置を決定させ、
第２の臨界角信号を生成するために前記第１の入射角で前記感知面と相互作用するように第２の波長を有する光信号を導かせ、
前記検出構成要素を使用して前記第２の臨界角信号の画像を生成させ、
前記生成された画像上の前記第２の臨界角信号の最大値のピクセル位置を決定させ、
臨界角デルタピクセル値を決定するために前記第１および第２の臨界角信号の最大値の前記ピクセル位置を比較させる命令を備えるものである、［１］から［２３］のいずれか１項に記載のセンサ。
［２５］  前記感知面が、被覆領域と非被覆領域とを備え、前記第１および第２の臨界角信号が、前記非被覆領域から生成される、［２４］に記載のセンサ。
［２６］  光学シャーシをさらに備え、前記光学シャーシが、
光信号生成構成要素と、
検出構成要素と、
プロセッサと、
コントローラと、
コンピュータ可読媒体とを備え、前記コンピュータ可読媒体は、
前記プロセッサによって実行されたとき、前記コントローラに、
第１の表面プラズモン共鳴（ＳＰＲ）信号を生成するために前記第１の入射角で前記感知面と相互作用するように第１の波長を有する光信号を導かせ、
前記検出構成要素を使用して前記第１のＳＰＲ信号の画像を生成させ、
前記生成された画像上の前記第１のＳＰＲ信号の最小値のピクセル位置を決定させ、
第２の表面プラズモン共鳴（ＳＰＲ）信号を生成するために前記第１の入射角で前記感知面と相互作用するように第２の波長を有する光信号を導かせ、
前記検出構成要素を使用して前記第２のＳＰＲ信号の画像を生成させ、
前記生成された画像上の前記第２のＳＰＲ信号の最小値のピクセル位置を決定させ、
第１のＳＰＲデルタピクセル値を決定するために前記第１および第２のＳＰＲ信号の前記最小値の前記ピクセル位置を比較させる命令を備えるものである、［１］から［２３］のいずれか１項に記載のセンサ。
［２７］  前記コンピュータ可読媒体が、前記プロセッサによって実行されたとき、前記コントローラに、
第３の表面プラズモン共鳴（ＳＰＲ）信号を生成するために前記第２の入射角で前記感知面と相互作用するように第１の波長を有する光信号を導かせ、
前記検出構成要素を使用して前記第３のＳＰＲ信号の画像を生成させ、
前記生成された画像上の前記第３のＳＰＲ信号の最小値のピクセル位置を決定させ、
第４のＳＰＲ信号を生成するために前記第２の入射角で前記感知面と相互作用するように第２の波長を有する光信号を導かせ、
前記検出構成要素を使用して前記第４の表面プラズモン共鳴（ＳＰＲ）信号の画像を生成させ、
前記生成された画像上の前記第４のＳＰＲ信号の最小値のピクセル位置を決定させ、
第２のＳＰＲデルタピクセル値を決定するために前記第３および第４のＳＰＲ信号の前記最小値の前記ピクセル位置を比較させる命令をさらに備える、［２６］に記載のセンサ。
［２８］  前記感知面が、被覆領域と非被覆領域とを備え、前記ＳＰＲ信号が、前記被覆領域から生成される、［２６］または［２７］に記載のセンサ。
［２９］  前記コンピュータ可読媒体が、前記プロセッサによって実行されたとき、前記コントローラに、
第１の表面プラズモン共鳴（ＳＰＲ）信号を生成するために前記第１の入射角で前記感知面の被覆領域と相互作用するように第１の波長を有する光信号を導かせ、
前記検出構成要素を使用して前記第１のＳＰＲ信号の画像を生成させ、
前記生成された画像上の前記第１のＳＰＲ信号の最小値のピクセル位置を決定させ、
第２の表面プラズモン共鳴（ＳＰＲ）信号を生成するために前記第１の入射角で前記感知面と相互作用するように第２の波長を有する光信号を導かせ、
前記検出構成要素を使用して前記第２のＳＰＲ信号の画像を生成させ、
前記生成された画像上の前記第２のＳＰＲ信号の最小値のピクセル位置を決定させ、
第１のＳＰＲデルタピクセル値を決定するために前記第１および第２のＳＰＲ信号の前記最小値の前記ピクセル位置を比較させる命令をさらに備える、［２４］に記載のセンサ。
［３０］  前記コンピュータ可読媒体が、前記プロセッサによって実行されたとき、前記コントローラに、
第３のＳＰＲ信号を生成するために前記第２の入射角で前記感知面と相互作用するように第１の波長を有する光信号を導かせ、
前記検出構成要素を使用して前記第３のＳＰＲ信号の画像を生成させ、
前記生成された画像上の前記第３のＳＰＲ信号の最小値のピクセル位置を決定させ、
第４のＳＰＲ信号を生成するために前記第２の入射角で前記感知面と相互作用するように第２の波長を有する光信号を導かせ、
前記検出構成要素を使用して前記第４のＳＰＲ信号の画像を生成させ、
前記生成された画像上の前記第４のＳＰＲ信号の最小値のピクセル位置を決定させ、
第２のＳＰＲデルタピクセル値を決定するために前記第３および第４のＳＰＲ信号の前記最小値の前記ピクセル位置を比較させる命令をさらに備える、［２９］に記載のセンサ。
［３１］  前記光信号生成構成要素が、レーザまたは発光ダイオード（ＬＥＤ）を備える、［２４］から［３０］のいずれか１項に記載のセンサ。
［３２］  前記レーザまたはＬＥＤが、可視光または赤外光を放射する、［３１］に記載のセンサ。
［３３］  前記レーザまたはＬＥＤが、約４００ｎｍ〜約１０００ｎｍの範囲の波長を有する光を放射する、［３２］に記載のセンサ。
［３４］  前記レーザまたはＬＥＤが、約８５５ｎｍの波長を有する光を放射するように構成された、［３３］に記載のセンサ。
［３５］  前記レーザまたはＬＥＤが、約９５０ｎｍの波長を有する光を放射するように構成された、［３３］に記載のセンサ。
［３６］  前記光学シャーシが、１つまたは複数の光信号操作構成要素をさらに備える、［２４］から［３５］のいずれか１項に記載のセンサ。
［３７］  前記検出構成要素が画像センサを備える、［２４］から［３６］のいずれか１項に記載のセンサ。
［３８］  前記画像センサが、電荷結合デバイス（ＣＣＤ）カメラ、またはサイエンティフィック相補型金属酸化膜半導体（ｓＣＭＯＳ）カメラである、［３７］に記載のセンサ。
［３９］  前記画像センサが、アクティブピクセルセンサ（ＡＰＳ）である、［３７］に記載のセンサ。
［４０］  前記センサを前記光学シャーシに取り外し可能に結合するように構成された複数の保持取り付け具をさらに備える、［２４］から［３９］のいずれか１項に記載のセンサ。
［４１］  前記センサを前記光学シャーシに整列させるように構成された整列構成要素をさらに備える、［２４］から［３９］のいずれか１項に記載のセンサ。
［４２］  前記整列構成要素が、テーパ付きセンタリング構成要素を備える、［４１］に記載のセンサ。
［４３］  複数の運動学的取り付け構成要素をさらに備える、［２４］から［３９］のいずれか１項に記載のセンサ。
［４４］  （ｉ）非被覆領域を備える感知面を備えるセンサと、ここにおいて、前記センサが、
第１の入射角で前記感知面と相互作用するように第１の光信号を導き、
第２の入射角で前記感知面と相互作用するように第２の光信号を導くように構成されるものであり、
（ｉｉ）
光学シャーシであって、
光信号生成構成要素と、
検出構成要素と、
プロセッサと、
コントローラと、
コンピュータ可読媒体と、を備える光学シャーシを備え、
前記コンピュータ可読媒体は、前記プロセッサによって実行されたとき、前記コントローラに、
第１の臨界角信号を生成するために前記第１の入射角で前記感知面と相互作用するように第１の波長を有する光信号を導かせ、
前記検出構成要素を使用して前記第１の臨界角信号の画像を生成させ、
前記生成された画像上の前記第１の臨界角信号のピクセル位置を決定させ、
第２の臨界角信号を生成するために前記第１の入射角で前記感知面と相互作用するように第２の波長を有する光信号を導かせ、
前記検出構成要素を使用して前記第２の臨界角信号の画像を生成させ、
前記生成された画像上の前記第２の臨界角信号のピクセル位置を決定させ、
臨界角デルタピクセル値を決定するために前記第１および第２の臨界角信号の前記ピクセル位置を比較させる命令を備えるものである、
システム。
［４５］  前記感知面が、被覆領域と非被覆領域とを備え、前記第１および第２の臨界角信号が、前記非被覆領域から生成される、［４４］に記載のシステム。
［４６］  （ｉ）被覆領域を備える感知面を備えるセンサと、ここにおいて、前記センサが、
第１の入射角で前記感知面と相互作用するように第１の光信号を導き、
第２の入射角で前記感知面と相互作用するように第２の光信号を導くように構成されるものであり、
（ｉｉ）
光学シャーシであって、
光信号生成構成要素と、
検出構成要素と、
プロセッサと、
コントローラと、
コンピュータ可読媒体と、を備える光学シャーシを備え、
前記コンピュータ可読媒体は、前記プロセッサによって実行されたとき、前記コントローラに、
第１の表面プラズモン共鳴（ＳＰＲ）信号を生成するために前記第１の入射角で前記感知面と相互作用するように第１の波長を有する光信号を導かせ、
前記検出構成要素を使用して前記第１のＳＰＲ信号の画像を生成させ、
前記生成された画像上の前記第１のＳＰＲ信号の最小値のピクセル位置を決定させ、
第２の表面プラズモン共鳴（ＳＰＲ）信号を生成するために前記第１の入射角で前記感知面と相互作用するように第２の波長を有する光信号を導かせ、
前記検出構成要素を使用して前記第２のＳＰＲ信号の画像を生成させ、
前記生成された画像上の前記第２のＳＰＲ信号の最小値のピクセル位置を決定させ、
ＳＰＲデルタピクセル値を決定するために前記第１および第２のＳＰＲ信号の前記最小値の前記ピクセル位置を比較させる命令を備えるものである、
システム。
［４７］  前記コンピュータ可読媒体が、前記プロセッサによって実行されたとき、前記コントローラに、
第３の表面プラズモン共鳴（ＳＰＲ）信号を生成するために前記第２の入射角で前記感知面と相互作用するように第１の波長を有する光信号を導かせ、
前記検出構成要素を使用して前記第３のＳＰＲ信号の画像を生成させ、
前記生成された画像上の前記第３のＳＰＲ信号の最小値のピクセル位置を決定させ、
第４の表面プラズモン共鳴（ＳＰＲ）信号を生成するために前記第２の入射角で前記感知面と相互作用するように第２の波長を有する光信号を導かせ、
前記検出構成要素を使用して前記第４のＳＰＲ信号の画像を生成させ、
前記生成された画像上の前記第４のＳＰＲ信号の最小値のピクセル位置を決定させ、
第２のＳＰＲデルタピクセル値を決定するために前記第３および第４のＳＰＲ信号の前記最小値の前記ピクセル位置を比較させる命令をさらに備える、［４６］に記載のシステム。
［４８］  前記感知面が、被覆領域と非被覆領域とを備え、前記ＳＰＲ信号が、前記被覆領域から生成される、［４６］または［４７］に記載のシステム。
［４９］  前記コンピュータ可読媒体が、前記プロセッサによって実行されたとき、前記コントローラに、
第１の表面プラズモン共鳴（ＳＰＲ）信号を生成するために前記第１の入射角で前記感知面の前記被覆領域と相互作用するように第１の波長を有する光信号を導かせ、
前記検出構成要素を使用して前記第１のＳＰＲ信号の画像を生成させ、
前記生成された画像上の前記第１のＳＰＲ信号の最小値のピクセル位置を決定させ、
第２の表面プラズモン共鳴（ＳＰＲ）信号を生成するために前記第１の入射角で前記感知面と相互作用するように第２の波長を有する光信号を導かせ、
前記検出構成要素を使用して前記第２のＳＰＲ信号の画像を生成させ、
前記生成された画像上の前記第２のＳＰＲ信号の最小値のピクセル位置を決定させ、
第１のＳＰＲデルタピクセル値を決定するために前記生成された画像上の前記第１および第２のＳＰＲ信号の前記最小値の前記ピクセル位置を比較させる命令をさらに備える、［４５］に記載のシステム。
［５０］  前記コンピュータ可読媒体が、前記プロセッサによって実行されたとき、前記コントローラに、
第３のＳＰＲ信号を生成するために前記第２の入射角で前記感知面と相互作用するように第１の波長を有する光信号を導かせ、
前記検出構成要素を使用して前記第３のＳＰＲ信号の画像を生成させ、
前記生成された画像上の前記第３のＳＰＲ信号の最小値のピクセル位置を決定させ、
第４のＳＰＲ信号を生成するために前記第２の入射角で前記感知面と相互作用するように第２の波長を有する光信号を導かせ、
前記検出構成要素を使用して前記第４のＳＰＲ信号の画像を生成させ、
前記生成された画像上の前記第４のＳＰＲ信号の最小値のピクセル位置を決定させ、
第２のＳＰＲデルタピクセル値を決定するために前記第３および第４のＳＰＲ信号の前記最小値の前記ピクセル位置を比較させる命令をさらに備える、［４９］に記載のシステム。
［５１］  前記センサが、前記光学シャーシに取り外し可能に結合されるように構成された、［４４］から［５０］のいずれか１項に記載のシステム。
［５２］  前記システムがベンチトップシステムである、［４４］から［５１］のいずれか１項に記載のシステム。
［５３］  前記システムがハンドヘルドシステムである、［４４］から［５１］のいずれか１項に記載のシステム。
［５４］  サンプルの浸透圧を決定するための方法であって、前記方法が、
［４６］から［５３］のいずれか１項に記載のシステムの感知面を基準媒体と接触させることと、
第１の基準表面プラズモン共鳴（ＳＰＲ）信号を生成するために前記第１の入射角で前記感知面と相互作用するように第１の波長を有する光信号を導くことと、
前記検出構成要素を用いて第１の基準ＳＰＲ信号の画像を生成することと、
前記生成された画像上の前記第１の基準ＳＰＲ信号の最小値のピクセル位置を決定することと、
第２の基準ＳＰＲ信号を生成するために前記第１の入射角で前記感知面と相互作用するように第２の波長を有する光信号を導くことと、
前記検出構成要素を用いて前記第２の基準ＳＰＲ信号の画像を生成することと、
前記生成された画像上の前記第２の基準ＳＰＲ信号の最小値のピクセル位置を決定することと、
基準媒体ＳＰＲデルタピクセル値を決定するために前記第１および第２の基準ＳＰＲ信号の前記最小値の前記ピクセル位置を比較することと、
前記感知面を前記サンプルと接触させることと、
第１のテストＳＰＲ信号を生成するために前記第２の入射角で前記感知面と相互作用するように第１の波長を有する光信号を導くことと、
前記検出構成要素を用いて前記第１のテストＳＰＲ信号の画像を生成することと、
前記生成された画像上の前記第１のテストＳＰＲ信号の最小値のピクセル位置を決定することと、
第２のテストＳＰＲ信号を生成するために前記第２の入射角で前記感知面と相互作用するように第２の波長を有する光信号を導くことと、
前記生成された画像上の前記第２のテストＳＰＲ信号の最小値のピクセル位置を決定することと、
テスト媒体ＳＰＲデルタピクセル値を決定するために前記第１および第２のテストＳＰＲ信号の前記最小値の前記ピクセル位置を比較することと、
第１の補正デルタピクセル値を生成するために前記基準媒体ＳＰＲデルタピクセル値を前記テスト媒体ＳＰＲデルタピクセル値と比較することと、
前記サンプルの前記浸透圧を決定するために前記第１の補正デルタピクセル値を較正データセットと比較することと
を備える方法。
［５５］  前記感知面を前記基準媒体と接触させることと、
第１の臨界角信号を生成するために前記第１の入射角で前記感知面と相互作用するように第１の波長を有する光信号を導くことと、
前記検出構成要素を用いて前記第１の臨界角信号の画像を生成することと、
前記生成された画像上の前記第１の臨界角信号の最大値のピクセル位置を決定することと、
第２の臨界角信号を生成するために前記第１の入射角で前記感知面と相互作用するように第２の波長を有する光信号を導くことと、
前記検出構成要素を用いて前記第２の臨界角信号の画像を生成することと、
前記生成された画像上の前記第２の臨界角信号の最大値のピクセル位置を決定することと、
臨界角デルタピクセル値を決定するために前記第１および第２の臨界角信号の前記最大値の前記ピクセル位置を比較することと、
第２の補正デルタピクセル値を決定するために前記第１の補正デルタピクセル値を前記臨界角デルタピクセル値と比較することと、
前記サンプルの前記浸透圧を決定するために前記第２の補正デルタピクセル値を較正データセットと比較することと
をさらに備える、［５４］に記載の方法。
［５６］  前記第１および第２の基準ＳＰＲ信号ならびに前記第１および第２の臨界角信号の前記画像が、単一の画像フレーム内にキャプチャされる、［５５］に記載の方法。
［５７］  外部環境補正デルタピクセル値を生成するために前記第１または第２の補正デルタピクセル値を外部環境パラメータと比較することと、
前記サンプルの前記浸透圧を決定するために前記外部環境補正デルタピクセル値を較正データセットと比較することと
をさらに備える、［５４］から［５６］のいずれか１項に記載の方法。
［５８］  前記外部環境パラメータが、温度と、圧力と、湿度とを備えるグループから選択される、［５７］に記載の方法。
［５９］  センサの品質パラメータを検証するための方法であって、方法が、
［４６］から［５３］のいずれか１項に記載のシステムの感知面を基準媒体と接触させることと、
第１の基準表面プラズモン共鳴（ＳＰＲ）信号を生成するために前記第１の入射角で前記感知面と相互作用するように第１の波長を有する光信号を導くことと、
前記検出構成要素を用いて第１の基準ＳＰＲ信号の画像を生成することと、
前記第１の基準ＳＰＲ信号の１つまたは複数の特性を決定することと、
前記センサの前記品質パラメータを検証するために前記第１の基準ＳＰＲ信号の前記１つまたは複数の特性を較正データセットと比較することと
を備える方法。
［６０］  前記センサの前記品質パラメータが、前記感知面上に配置された半透明膜の厚さと、前記感知面上に配置された接着層の厚さと、前記感知面上に配置された半透明膜中の材料の純度と、前記感知面上に配置された接着層中の材料の純度とを備えるグループから選択される、［５９］に記載の方法。
［６１］  前記第１の基準ＳＰＲ信号の前記特性が、前記第１の基準ＳＰＲ信号のコントラスト値、形状、または寸法を備えるグループから選択される、［５９］に記載の方法。
［６２］  センサの品質パラメータを検証するための方法であって、前記方法が、
［４４］、［４５］、または［４９］から［５３］のいずれか１項に記載のシステムの感知面を基準媒体と接触させることと、
第１の基準臨界角信号を生成するために前記第１の入射角で前記感知面と相互作用するように第１の波長を有する光信号を導くことと、
前記検出構成要素を用いて前記第１の基準臨界角信号の画像を生成することと、
前記第１の基準臨界角信号の１つまたは複数の特性を決定することと、
前記センサの前記品質パラメータを検証するために前記第１の基準臨界角信号の前記１つまたは複数の特性を較正データセットと比較することと
を備える方法。
［６３］  前記センサの前記品質パラメータが、前記感知面上に配置された半透明膜の厚さと、前記感知面上に配置された接着層の厚さと、前記感知面上に配置された半透明膜中の材料の純度と、前記感知面上に配置された接着層中の材料の純度とを備えるグループから選択される、［６２］に記載の方法。
［６４］  第１の基準臨界角信号の特性は、前記第１の基準臨界角信号のコントラスト値、形状、または寸法を備えるグループから選択される、［６２］に記載の方法。
［６５］  前記第１の波長を有する光信号および第２の波長を有する光信号が、同時に前記感知面と相互作用するように導かれる、［５４］から［６４］のいずれか１項に記載の方法。
［６６］  前記第１の波長を有する光信号および前記第２の波長を有する光信号が、ゲーテッド方式で前記感知面と相互作用するように導かれる、［５４］から［６４］のいずれか１項に記載の方法。
［６７］  前記較正データセットが、前記システムのプロセッサの読出し専用メモリ内に記憶される、［５４］から［６６］のいずれか１項に記載の方法。
［６８］  前記基準媒体が空気であり、サンプルが涙液である、［５４］から［６７］のいずれか１項に記載の方法。
［６９］  前記方法が実行されている間、前記涙液が被験者の眼に接触したままである、［６８］に記載の方法。
［７０］  前記第１の入射角が約４０度〜約４５度の範囲であり、前記第２の入射角が約６２度〜約６７度の範囲である、［５４］から［６９］のいずれか１項に記載の方法。
［７１］  前記第１の入射角が約４２度であり、前記第２の入射角が約６４度である、［７０］に記載の方法。
［７２］  前記第１の波長が約８５５ｎｍであり、前記第２の波長が約９５０ｎｍである、［５４］から［７１］のいずれか１項に記載の方法。